(57)【要約】【課題】  複合機のユーザー認証を行う場合に、新たに認証専用の装置や認証専用のカード等を必要とする。【解決手段】本発明のユーザー認証機能付き複合装置は、携帯端末との通信時に、前記携帯端末に保持されたＧＰＳ（Ｇｌｏｂａｌ  Ｐｏｓｉｔｉｏｎｉｎｇ  Ｓｙｓｔｅｍ）履歴情報を取得するＧＰＳ履歴取得手段と、前記ＧＰＳ履歴情報を格納するＧＰＳ履歴格納手段と、前記ＧＰＳ履歴情報と過去の前記ＧＰＳ履歴情報との照合を行い、前記照合の結果が所定の基準を満たしていれば認証を示す信号を出力するＧＰＳ履歴検証手段と、画像データの入出力の処理を実行する入出力処理手段と、前記ＧＰＳ履歴検証手段の前記認証を示す信号の出力を基に、前記入出力処理手段の使用を認証する主制御手段と、を包含する。【選択図】      図１
2015065592.tif 000002
【特許請求の範囲】
【請求項１】
携帯端末との通信時に、前記携帯端末に保持されたＧＰＳ（Ｇｌｏｂａｌ  Ｐｏｓｉｔｉｏｎｉｎｇ  Ｓｙｓｔｅｍ）履歴情報を取得するＧＰＳ履歴取得手段と、
前記ＧＰＳ履歴情報を格納するＧＰＳ履歴格納手段と、
前記ＧＰＳ履歴情報と過去の前記ＧＰＳ履歴情報との照合を行い、前記照合の結果が所定の基準を満たしていれば認証を示す信号を出力するＧＰＳ履歴検証手段と、
画像データの入出力の処理を実行する入出力処理手段と、
前記ＧＰＳ履歴検証手段の前記認証を示す信号の出力を基に、前記入出力処理手段の使用を認証する主制御手段と、を包含する、ユーザー認証機能付き複合装置。
【請求項２】
前記ＧＰＳ履歴情報に基づいて認証のための地図データを作成する地図データ作成手段と、
前記ＧＰＳ履歴情報から、前記ＧＰＳ履歴情報を含まない地域のダミー地図データを作成するダミー地図データ作成手段と、
前記地図データ、及び、前記ダミー地図データの表示を行う表示手段と、を更に備え、
前記表示手段の前記表示のうち、前記認証のための地図データが選択された場合、前記ＧＰＳ履歴検証手段が、前記認証のための地図データに対応する前記ＧＰＳ履歴情報と過去の前記ＧＰＳ履歴情報との前記照合を行い、前記照合の結果が所定の基準を満たしていれば前記認証を示す信号を出力する、請求項１に記載のユーザー認証機能付き複合装置。
【請求項３】
前記ＧＰＳ履歴読み込み手段が、更に、前記携帯端末の携帯個別識別番号を読み込み、
前記ＧＰＳ履歴検証手段が、更に、前記携帯個別識別番号と過去の前記携帯個別識別番号との照合を行い、両者が一致していれば認証を示す信号を出力する、請求項１または２に記載のユーザー認証機能付き複合装置。
【請求項４】
前記入出力処理手段が、画像を出力するプリンタ手段と、画像を読み取るスキャナ手段と、で構成され、
前記主制御手段が、前記ＧＰＳ履歴検証手段の前記認証を示す信号の出力を基に、前記プリンタ手段、及び、前記スキャナ手段、の使用を認証する、請求項１乃至３のいずれかに記載のユーザー認証機能付き複合装置。
【請求項５】
携帯端末の位置情報を取得するＧＰＳ受信手段と、
前記ＧＰＳ受信手段が前記位置情報を取得した時間を計測する時計手段と、
前記携帯端末の前記位置情報と前記時間を関連付けた前記ＧＰＳ履歴情報を保持するメモリ手段と、を備えた、前記携帯端末と、
前記携帯端末と通信する請求項１乃至４のいずれかに記載のユーザー認証機能付き複合装置と、を包含する、ユーザー認証機能付き複合システム。
【請求項６】
携帯端末との通信時に、前記携帯端末に保持されたＧＰＳ履歴情報を取得し、
前記ＧＰＳ履歴情報を格納し、
前記ＧＰＳ履歴情報と過去の前記ＧＰＳ履歴情報との照合を行い、前記照合の結果が所定の基準を満たしていれば認証を示す信号を出力し、
前記認証を示す信号の出力を基に、画像データの入出力の処理の使用を認証する、方法。
【請求項７】
前記ＧＰＳ履歴情報に基づいて認証のための地図データを作成し、
前記ＧＰＳ履歴情報から、前記ＧＰＳ履歴情報を含まない地域のダミー地図データを作成し、
前記地図データ、及び、前記ダミー地図データの表示を行い、
前記表示のうち、前記認証のための地図データが選択された場合、前記認証のための地図データに対応する前記ＧＰＳ履歴情報と過去の前記ＧＰＳ履歴情報との前記照合を行い、前記照合の結果が所定の基準を満たしていれば前記認証を示す信号を出力する、請求項６に記載の方法。
【請求項８】
更に、前記携帯端末の携帯個別識別番号を読み込み、
更に、前記携帯個別識別番号と過去の前記携帯個別識別番号との照合を行い、両者が一致していれば認証を示す信号を出力する、請求項６または７に記載の方法。
【請求項９】
前記認証を示す信号の出力を基に、画像の出力、及び、画像の読み取り、の使用を認証する、請求項６乃至８のいずれかに記載の方法。
【請求項１０】
携帯端末との通信時に、前記携帯端末に保持されたＧＰＳ履歴情報を取得する処理と、
前記ＧＰＳ履歴情報を格納する処理と、
前記ＧＰＳ履歴情報と過去の前記ＧＰＳ履歴情報との照合を行い、前記照合の結果が所定の基準を満たしていれば認証を示す信号を出力する処理と、
前記認証を示す信号の出力を基に、画像データの入出力の処理の使用を認証する処理と、
をコンピュータに実行させるためのプログラム。
【発明の詳細な説明】
【技術分野】
【０００１】
本発明は、ユーザー認証機能付き複合装置、方法、及び、プログラムに関する。
【背景技術】
【０００２】
特許文献１には、不正利用を防止する複合機が記載されている。その複合機は、不正利用を防止するために、取得した日時情報に基づいて画像処理の実行に制限をかける時間帯かどうかを判断し、実行に制限をかける時間帯と判断した場合には、画像処理の機能を制限する。
【０００３】
特許文献２には、ＧＰＳ（Ｇｌｏｂａｌ  Ｐｏｓｉｔｉｏｎｉｎｇ  Ｓｙｓｔｅｍ）情報を利用する複合機であり、電子メールを受信することが可能なネットワーク対応型デジタル複合機が記載されている。その複合機は、ＧＰＳ情報により検索可能な電子地図データベースを含む。さらに、その複合機は、受信した電子メールに、ＧＰＳ情報により検索可能な電子地図データベースの実行要求があると判断したときは、電子メール内にＧＰＳ情報が含まれているかどうかを調べ、ＧＰＳ情報が存在すると判断したときは、そのＧＰＳ情報により電子地図データベースを検索し、その地図データを印刷する。
【０００４】
特許文献３には、携帯電話の過去の位置情報を取得し、それらの位置をプロットするために、必要な範囲の地図データを取得する複合機が記載されている。
【先行技術文献】
【特許文献】
【０００５】
【特許文献１】特許４７００７１８号
【特許文献２】特開２００５−３３２１０２号公報
【特許文献３】特開２００９−１９８４０９号公報
【発明の概要】
【発明が解決しようとする課題】
【０００６】
上記特許文献に記載される技術を用いた場合、複合機のユーザー認証を行う場合に、新たに認証専用の装置や認証専用のカード等を必要とする、という課題がある。
【０００７】
一般に、複合機において、ユーザーの認証を行い、ユーザー毎の動作制限やユーザーユーザー毎の個別動作を行う場合には、認証専用の装置を接続し、指紋認証やカード認証や非接触ＩＣカードによる認証などにて認証動作を行っている。しかし、認証専用の装置を新たに設置することは低価格化の観点からも課題がある。また、設置面積の制限から設置場所が制限される課題が発生する可能性がある。さらに、カード認証や非接触ＩＣカードによるシステムの場合には、カード側も特別な機能が必要となるといった課題がある。
【０００８】
特許文献１に記載される複合機は、使用時間帯の制限を設けているだけであり、個人認証による複合機の使用の許可の判断は行われていない。
【０００９】
特許文献２は、複合機でＧＰＳ情報を印刷する技術を開示し、ＧＰＳ情報を複合機の使用の認証に使用する点については言及されていない。
【００１０】
特許文献３に記載される複合機は、携帯電話の位置情報を取得するが、その位置情報を複合機の個人認証には使用していない。
【００１１】
本発明の目的は、複合機のユーザー認証を行う場合に、新たに認証専用の装置や認証専用のカード等を必要とせず、ユーザー所有の携帯電話やスマートフォン内のＧＰＳ履歴情報を使用して、容易にユーザー認証を行う複合装置、方法を提供することにある。
【課題を解決するための手段】
【００１２】
本発明のユーザー認証機能付き複合装置は、携帯端末との通信時に、前記携帯端末に保持されたＧＰＳ（Ｇｌｏｂａｌ  Ｐｏｓｉｔｉｏｎｉｎｇ  Ｓｙｓｔｅｍ）履歴情報を取得するＧＰＳ履歴取得手段と、前記ＧＰＳ履歴情報を格納するＧＰＳ履歴格納手段と、前記ＧＰＳ履歴情報と過去の前記ＧＰＳ履歴情報との照合を行い、前記照合の結果が所定の基準を満たしていれば認証を示す信号を出力するＧＰＳ履歴検証手段と、画像データの入出力の処理を実行する入出力処理手段と、前記ＧＰＳ履歴検証手段の前記認証を示す信号の出力を基に、前記入出力処理手段の使用を認証する主制御手段と、を包含する。
【００１３】
本発明の方法は、携帯端末との通信時に、前記携帯端末に保持されたＧＰＳ履歴情報を取得し、前記ＧＰＳ履歴情報を格納し、前記ＧＰＳ履歴情報と過去の前記ＧＰＳ履歴情報との照合を行い、前記照合の結果が所定の基準を満たしていれば認証を示す信号を出力する、前記認証を示す信号の出力を基に、画像データの入出力の処理の使用を認証する。
【００１４】
本発明のコンピュータプログラムは、携帯端末との通信時に、前記携帯端末に保持されたＧＰＳ履歴情報を取得する処理と、前記ＧＰＳ履歴情報を格納する処理と、前記ＧＰＳ履歴情報と過去の前記ＧＰＳ履歴情報との照合を行い、前記照合の結果が所定の基準を満たしていれば認証を示す信号を出力する処理と、前記認証を示す信号の出力を基に、画像データの入出力の処理の使用を認証する処理と、をコンピュータに実行させる。
【発明の効果】
【００１５】
本発明によれば、複合機のユーザー認証を行う場合に、新たに認証専用の装置や認証専用のカード等を必要とせず、ユーザー所有の携帯端末内のＧＰＳ履歴情報を使用して、容易に複合機のユーザー認証を行うことが可能となる。
【図面の簡単な説明】
【００１６】
【図１】図１は、本発明の第一の実施の形態に係るユーザー認証機能付き複合システムの構成の一例を示すブロック図である。
【図２】図２は、携帯端末の構成要素のブロック図である。
【図３】図３は、ユーザー登録時のための動作を示すフローチャートである。
【図４】図４は、ＧＰＳ履歴格納部に登録される認証用履歴情報の一例を示す表である。
【図５】図５は、ユーザーが携帯端末を利用してユーザー認証機能付き複合装置を利用する場合におけるユーザー認証時の動作を示すフローチャートである。
【図６】図６は、本発明の第二の実施の形態に係るユーザー認証機能付き複合システムの構成の一例を示すブロック図である。
【図７】図７は、ユーザー認証機能付き複合装置の操作部、及び、表示部の構成の一例を示す図である。
【図８】図８は、第二の実施形態に係る、ユーザー認証機能付き複合システムの動作を示すフローチャートである。
【図９】図９は、本発明の第三の実施の形態に係るユーザー認証機能付き複合装置の構成の一例を示すブロック図である。
【発明を実施するための形態】
【００１７】
図１は、本発明の第一の実施の形態に係るユーザー認証機能付き複合システム３００の構成の一例を示すブロック図である。図１において、ユーザー認証機能付き複合システム３００は、ユーザー認証機能付き複合装置１００、及び、携帯端末２００から構成される。
【００１８】
携帯端末２００は、ユーザー認証機能付き複合装置１００の操作に基づいて、ユーザー認証機能付き複合装置１００に接続される。
【００１９】
ユーザー認証機能付き複合装置１００は、携帯端末接続部１０１、ＧＰＳ履歴読み込み部１０２、ＧＰＳ履歴格納部１０３、ＧＰＳ履歴検証部１０６、スキャナ部１０７、ＬＡＮ通信部１０８、ファクシミリ通信部１０９、プリンタ部１１０、主制御部１１１、操作部１１２、及び、表示部１１３、から構成される。
【００２０】
なお、ユーザー認証機能付き複合装置１００は、ファクシミリ通信機能とプリンタ装置の機能を包含する。携帯端末２００は、ＧＰＳの履歴（日時及び位置情報）を保存する設定が可能であることが望ましい。
【００２１】
携帯端末接続部１０１は、ＧＰＳ機能を持った携帯端末２００（携帯電話やスマートフォン）に接続する。携帯端末接続部１０１は、近距離無線通信(例えば、Ｂｌｕｅｔｏｏｔｈ（登録商標）、赤外線通信、無線ＬＡＮ通信など)あるいは接続ケーブルで、携帯端末２００と接続される。
【００２２】
ＧＰＳ履歴読み込み部１０２は、携帯端末２００との接続動作における認証時に、携帯端末接続部１０１を経由して、携帯端末２００のメモリ部内のＧＰＳ履歴情報と携帯個別識別番号を読み込む。ＧＰＳ履歴情報と携帯個別識別番号の詳細については、後述する。
【００２３】
ＧＰＳ履歴格納部１０３は、読み込んだＧＰＳ履歴情報と携帯個別識別番号を認証用履歴情報として格納する。また、ＧＰＳ履歴格納部１０３は、ユーザーを認証するキーとして過去にユーザー認証を実施した時のＧＰＳ履歴情報を記憶しており、過去に認証した時点のＧＰＳ履歴情報を基に、さらに新たにユーザーが移動したことにより追加されたＧＰＳ履歴情報がある場合にはその情報も認証用履歴情報として追加して記憶することで、認証用履歴情報を更新する。
【００２４】
ＧＰＳ履歴検証部１０６は、認証時に読み込んだＧＰＳ履歴情報と、認証を行うキーとして過去に取り込んだＧＰＳ履歴情報との照合を行う。また、ＧＰＳ履歴検証部１０６は、ユーザー認証機能付き複合装置１００を操作しようとしているユーザーが操作可能ユーザーかどうかを、ＧＰＳ履歴格納部１０３に登録しておき、操作可能ユーザーかどうかを認証する。ＧＰＳ履歴検証部１０６は、前述の２つの照合の結果が所定の基準を満たしていれば認証を示す信号を出力する。
【００２５】
スキャナ部１０７は、ファクリミリ通信時、コピー時、またはデータ転送のための読み取り時に原稿（画像）を読み取る。
【００２６】
ＬＡＮ（Ｌｏｃａｌ  Ａｒｅａ  Ｎｅｔｗｏｒｋ）通信部１０８は、ネットワークとの接続および通信を行うためのＬＡＮ通信及びインタフェース機能を有する。
【００２７】
ファクシミリ通信部１０９は、ネットワークまたは図示しない公衆回線を経由して周知のファクシミリ通信を行うための通信回路およびファクシミリ符号化・復号回路を含む。
【００２８】
プリンタ部１１０は、ネットワークに接続する外部装置からのデータのプリント機能、コピー機能、及び、ファクシミリ受信時の記録出力機能を実現する回路と、紙送り、印刷のための機構系を含む。
【００２９】
主制御部１１１は、認証を示す信号に基づきユーザー認証による各機能の動作制限、動作許可を実行するほかに、ユーザー認証機能付き複合装置１００全体の制御を行う。
【００３０】
操作部１１２は、ユーザー認証機能付き複合装置１００の操作の起動、ファクシミリ通信、コピー、プリンタ機能の切り替え操作を行う。
【００３１】
表示部１１３は、地図データや、装置の状態などを表示する。表示部１１３は、タッチパネル付きディスプレイでもよい。
【００３２】
なお、スキャナ部１０７、ＬＡＮ通信部１０８、ファクシミリ通信部１０９およびプリンタ部１１０の構成については、ユーザー認証機能付き複合装置１００の基本機能であり、ユーザー認証による動作制限の対象となる。
【００３３】
また、本発明の実施形態では、携帯端末のＧＰＳ情報を用いてユーザー認証機能付き複合装置１００（複合機）のユーザー認証を行うが、任意の場所（例えば、コンビニエンスストア）に設定されている複合機において、ＧＰＳ情報に基づく近郊の地図データをプリンタ部１１０で紙に出力する際に、同時に、携帯端末のＧＰＳ情報を用いて認証を実施する、等の用途による、としてもよい。
【００３４】
ここで、携帯端末接続部１０１、ＧＰＳ履歴読み込み部１０２、ＧＰＳ履歴検証部１０６、ＬＡＮ通信部１０８、ファクシミリ通信部１０９、主制御部１１１、及び、操作部１１２は、論理回路等のハードウェアで構成される。ＧＰＳ履歴読み込み部１０２、ＧＰＳ履歴検証部１０６は、主制御部１１１の機能の一部であってもよい。また、ＧＰＳ履歴格納部１０３は、ディスク装置、半導体メモリ、等の記憶装置である。
【００３５】
携帯端末接続部１０１、ＧＰＳ履歴読み込み部１０２、ＧＰＳ履歴検証部１０６、ＬＡＮ通信部１０８、ファクシミリ通信部１０９、主制御部１１１、及び、操作部１１２は、コンピュータであるユーザー認証機能付き複合装置１００のプロセッサが、図示されないメモリ上のプログラムを実行することで機能するよう実現されても良い。
【００３６】
図２は、携帯端末２００の構成要素のブロック図である。携帯端末２００は、ＧＰＳアンテナ部２０１、時計部２０２、メモリ部２０３、接続部２０４、及び、携帯端末制御部２０５で構成される。
【００３７】
ＧＰＳ受信部２０１は、ＧＰＳアンテナと受信回路を含み、携帯端末２００の位置情報を受信する。受信した位置情報は、携帯端末制御部２０５に出力され、位置が認識される。
【００３８】
時計部２０２は、ＧＰＳ受信部２０１が携帯端末２００の位置情報を取得した日付、時間を計測する。
【００３９】
メモリ部２０３は、携帯端末２００の位置情報に日付、時間を関連付けたＧＰＳ履歴情報を保持する。なお、日付の情報には、年号が含まれていてもよい。また、メモリ部２０３は、携帯個別識別番号を保持してもよい。
【００４０】
接続部２０４は、近距離無線通信(例えば、Ｂｌｕｅｔｏｏｔｈ（登録商標）、赤外線通信、無線ＬＡＮ通信など)あるいは接続ケーブルで、ユーザー認証機能付き複合装置１００と接続される。
【００４１】
携帯端末制御部２０５は、携帯端末２００全体の動作を制御し、携帯電話やスマートフォンの通信等の本来の機能の動作も制御する。
【００４２】
携帯端末制御部２０５は、ユーザーが外出した時などに、時計部２０２で計測される日付および時間、位置情報をメモリ部２０３にＧＰＳ履歴情報として登録するように制御する。なお、ＧＰＳ履歴情報の登録動作のインターバルは、任意に設定することが出来るものとする。
【００４３】
図３は、ユーザー登録のための動作を示すフローチャートである。図３を参照して、ユーザー登録時のユーザー認証機能付き複合システム３００の動作を説明する。
【００４４】
まず、ＧＰＳ履歴情報を記録してある携帯端末２００は、ユーザーによる操作に基づきユーザー認証機能付き複合装置１００に携帯端末接続部１０１を経由して接続する（Ｓ１０１)。なお、接続前に、操作部１１２が、ユーザー情報の登録の入力モードの設定を行う。
【００４５】
この時の接続方法は、Ｂｌｕｅｔｏｏｔｈや赤外線や無線ＬＡＮ（Ｌｏｃａｌ  Ａｒｅａ  Ｎｅｔｗｏｒｋ）などの近距離無線通信やケーブル接続であり、携帯端末２００やユーザー認証機能付き複合装置１００に搭載されている機能を使用する。なお、携帯端末制御部２０５は、接続した時点で、ＧＰＳ履歴読み込み部１０２にメモリ部２０３のアドレスを通知する。
【００４６】
接続されると、ＧＰＳ履歴読み込み部１０２は、携帯端末２００のメモリ部２０３から、携帯端末２００の携帯個別識別番号とＧＰＳ履歴情報を読み込む（Ｓ１０２、Ｓ１０３）。
【００４７】
次に、ＧＰＳ履歴読み込み部１０２は、ユーザーによる操作部１１２での操作に基づき、携帯端末２００に関するユーザー情報をＧＰＳ履歴格納部１０３に登録する（Ｓ１０４）。
ＧＰＳ履歴読み込み部１０２は、携帯個別識別番号とＧＰＳ履歴情報を、使用するユーザー情報と紐付けし、紐付けされた情報（認証用履歴情報）をＧＰＳ履歴格納部１０３に格納し管理する。また、ＧＰＳ履歴読み込み部１０２は、ユーザー毎の認証用履歴情報をＧＰＳ履歴格納部１０３に登録するときに、さらにユーザーが使用できる許可動作も登録する（Ｓ１０５）。
【００４８】
なお、主制御部１１１は、予め、ユーザー認証機能付き複合装置１００で可能な許可動作の種類をＧＰＳ履歴格納部１０３に登録しておく。
【００４９】
図４は、ＧＰＳ履歴格納部１０３に登録される認証用履歴情報の一例を示す表である。表に示すように、認証用履歴情報として、ユーザー情報毎に、携帯電話個体識別番号、ＧＰＳ履歴情報、及び、許可動作（本実施の形態では、使用可能なＦＡＸ、コピー、プリント、スキャナの種類を示す情報）が登録される。
【００５０】
ユーザー情報は、ユーザーを示す、例えば、表中の「Ａ」「Ｂ」等の任意の名称あるいは識別子を登録する。携帯個体識別番号は、携帯端末２００に対応した任意の番号である。
【００５１】
ＧＰＳ履歴情報は、例えば、ユーザー「Ａ」の場合、ＧＰＳ履歴の過去のデータ（過去のＧＰＳ履歴情報）を示す「１／１」（過去の日付）、及び、最新のデータを示す「１／２」（最新の日付）から構成される。また、各ＧＰＳ履歴情報は、携帯端末２００における位置情報の取得時間、及び、場所（緯度、経度）を示す位置情報を有する。図４において、位置情報は、ａ、ｂ、ｃ等のアルファベットで簡略的に表記されている。
【００５２】
許可動作は、各ユーザーが使用可能な、ＦＡＸ、コピー、プリント、スキャナの種類を登録する。
【００５３】
なお、例えば、登録時に、ユーザー毎にあらかじめ決められた各データの基準情報（所定の基準）として、過去のＧＰＳ履歴情報の基準となる中心地点（緯度、経度）、中心地点からの特定の半径の内側の領域（登録対象エリア）、及び、過去の特定の時間内での前述の領域での出現の頻度、を、ＧＰＳ履歴格納部１０３に、格納してもよい。例えば、半径は、１００ｍのエリア、頻度は、３０分おき計測５回のうち３回、等、任意に設定可能とする。この設定は、主制御部１１１の制御に基づいて、ユーザーによる設定操作で、予め行われてもよい。
【００５４】
図５は、ユーザーが携帯端末を利用してユーザー認証機能付き複合装置１００を利用する場合におけるユーザー認証時の動作を示すフローチャートである。ユーザー認証時の動作について、図５に示すフローチャートを使用して説明する。
【００５５】
まず、携帯端末接続部１０１は、ユーザー認証を開始する際には、認証に使用する携帯端末２００（携帯電話かスマートフォン）に接続する（Ｓ２０１）。
【００５６】
次に、ＧＰＳ履歴読み込み部１０２は、携帯端末２００から携帯個別識別番号、及び、ＧＰＳ履歴を読み込む（Ｓ２０２）。次に、ＧＰＳ履歴検証部１０６は、ＧＰＳ履歴格納部１０３の認証用履歴情報（図４）から、過去の携帯個別識別番号、及び、過去のＧＰＳ履歴情報を検索する（Ｓ２０３）。
【００５７】
また、ＧＰＳ履歴検証部１０６は、ステップＳ２０２で読み取った携帯個別識別番号及びＧＰＳ履歴情報と、ステップＳ２０３で検索した過去の携帯個別識別番号及びＧＰＳ履歴情報とを基に、所定の基準を満たすか、すなわち、（１）携帯個別端末番号が一致するか否かの検証と、（２）携帯端末２００（携帯電話又はスマートフォン）を接続したときに読み取ったユーザーのＧＰＳ履歴情報が、過去のＧＰＳ履歴情報にあるか否かを検証、をそれぞれ実行し、一致およびある場合には、認証ＯＫとする（Ｓ２０４にてＹ）。この場合、所定の基準は、携帯個別識別番号に一致すること及び過去のＧＰＳ履歴情報に存在する（一致する）こと、である。ＧＰＳ履歴検証部１０６は、その検証結果を示す信号（指示、命令などを含む）を、主制御部１に出力する。
【００５８】
そして、主制御部１１１は、認証を示す信号に基づき、図４に示す認証用履歴情報からそのユーザーの許可動作（ＦＡＸ、コピー、プリント、スキャナのいずれかの許可）を確認し（Ｓ２０８）、許可動作を実施する（Ｓ２０９）。なお、認証を示す信号には動作許可の情報が含まれていてもよいし、ステップＳ２０８で主制御部１１１がＧＰＳ履歴格納部１０３から許可動作を読み出してもよい。
【００５９】
ステップ（Ｓ２０４）における（２）の検証は、例えば、図４で説明した基準情報（所定の基準）である、中心地点（経度、緯度）、登録対象エリア、及び、出現の頻度、の３項目について、満たすか、すなわち認証するＧＰＳ情報の値を基準情報と比較し一致するか否かを判定する、ことによるものでもよい。さらに、ＧＰＳ履歴情報の照合が可能であれば、他の任意の所定の基準に基づく認証方法を選択してよいものとする。
【００６０】
主制御部１１１は、許可動作の処理が完了次第、許可動作を終了し（Ｓ２１０）、初期状態に戻る。
【００６１】
許可ユーザーでなかった場合（Ｓ２０４にてＮ）、主制御部１１１の制御により表示部１１３は、エラー表示し初期画面に戻り、待機状態となる。
【００６２】
許可ユーザーが認証完了した時点で（Ｓ２０４にてＹ）、認証時に使用したＧＰＳ履歴情報より新しいＧＰＳ履歴情報がある場合（Ｓ２０５にてＹ）には、ＧＰＳ履歴読み込み部１０２は、新しいＧＰＳ履歴情報をＧＰＳ履歴格納部１０３に追加登録を行う（Ｓ２０６）。具体的に、ＧＰＳ履歴読み込み部１０２は、認証用履歴情報のＧＰＳ履歴情報に追加登録する。
【００６３】
なお、ＧＰＳ履歴読み込み部１０２は、過去の不要なＧＰＳ履歴情報については削除し（Ｓ２０７）、必要なＧＰＳ履歴情報のみ保存する。
【００６４】
上記の例では携帯個別識別番号も認証に使用したが、初期の認証時や不具合発生時の個別対応時などの時に使用する事とし、通常時は過去のＧＰＳ履歴情報のみにて認証する、としてもよい。
【００６５】
また、ユーザー登録時およびが携帯端末２００の認証時に、ユーザー認証機能付き複合機１００のＧＰＳ履歴読み込み部１０２は、携帯端末２００のメモリ部２０３から携帯個別識別番号とＧＰＳ履歴情報を読み出す代わりに、次のように取得してもよい。すなわち、ＧＰＳ履歴読み込み部１０２は、認証時に要求信号を発生し、携帯端末２００に送信する。携帯端末２００は、ユーザー認証機能付き複合機１００からの要求信号に基づき、メモリ部２０３に格納された携帯個別識別番号とＧＰＳ履歴情報を送信する。ユーザー認証機能付き複合機１００のＧＰＳ履歴読み込み部１０２は、その携帯個別識別番号とＧＰＳ履歴情報を携帯端末接続部１０１を経由して取得する。
【００６６】
したがって、ＧＰＳ履歴読み込み部１０２は、ＧＰＳ履歴取得部とも言える。
【００６７】
本実施形態に係るユーザー認証機能付き複合システム３００は、以下に記載するような効果を奏する。
【００６８】
複合装置がユーザー認証を行う場合に、新たに認証専用の装置や認証専用のカード等を必要とせず、容易に認証機能を追加することが可能となる。その理由は、携帯端末２００のＧＰＳ履歴情報を複合装置のユーザー認証に使用するからである。
＜第二の実施形態＞
図６は、本発明の第二の実施の形態に係るユーザー認証機能付き複合システム５００の構成の一例を示すブロック図である。
【００６９】
本実施形態では、ユーザー認証機能付き複合装置４００は、第一の実施形態の構成に、さらに、地図データ作成部１０４、及び、ダミー地図データ作成部１０５を包含する。
【００７０】
地図データ作成部１０４は、ＧＰＳ履歴情報から該当の近郊地図を表示するための表示データを作成する。
【００７１】
ダミー地図データ作成部１０５は、認証時のダミーデータとしての地図表示データ、すなわち、上記のＧＰＳ履歴を含まない地域のダミー地図データを作成する。
【００７２】
そして、表示部１１３が、ＧＰＳ履歴情報の地図データと合わせて、ダミー地図データを表示する。
【００７３】
図７は、ユーザー認証機能付き複合装置４００の操作部１１２、及び、表示部１１３の構成の一例を示す図である。
【００７４】
表示部１１３は、Ａ〜Ｄのエリアに、時間と地図情報を表示し、実際にユーザーが訪れた時間と場所の地図を選択しユーザー認証を行うようにする。
【００７５】
例えば、一つのエリア（Ａ）には、地図データ作成部１０４が作成した正しいＧＰＳ履歴を示す地図データを表示し、残りのエリア（Ｂ、Ｃ、Ｄ）には、ダミー地図データ作成部１０５が作成した、前述のＧＰＳ履歴情報を含まない地域の（正しくない）ＧＰＳ履歴情報であるダミーの地図データを表示する。
【００７６】
また、正しいＧＰＳ履歴情報を示す地図データ、及び、ダミーの地図データは、例えば、ある所定の期間（例えば、過去２４時間）における位置情報の軌跡を表示したもの、とする。
【００７７】
なお、この時、複数の正しいＧＰＳ履歴情報を示す地図データ（及び、１以上のダミーの地図データ）を表示し、その中からユーザーが複数を選択するようにして、認証を複雑にすることも可能である。
【００７８】
このように、本実施形態では、ユーザーが知り得る情報をさらに引き出して認証を厳しくすることも可能とし、認証の厳しさをフレキシブルに変えることができることも特徴とする。
【００７９】
図８は、第二の実施形態に係る、ユーザー認証機能付き複合システム５００の動作を示すフローチャートである。図８のフローチャートは、図５に示したフローチャートに、（Ｓ３０３）、及び、（Ｓ３０４）を追加し、それ以外の部分は図５と同等である。すなわち、ステップＳ３０１、Ｓ３０２、Ｓ３０５〜Ｓ３１２の動作は、図５に示すフローのステップＳ２０１、Ｓ２０２、Ｓ２０３〜２１０とそれぞれ同等である。よって、図５のフローチャートと共通する部分の説明は省略するか簡略した説明にする。
【００８０】
携帯端末接続部１０１が携帯電話やスマートフォンを接続し（Ｓ３０１）、ＧＰＳ履歴読み込み部１０２がＧＰＳ履歴情報を読み込んだ（Ｓ３０２）後、その履歴情報を使用し、地図データ作成部１０４は、ユーザーが移動した履歴の地図データ（認証のための地図データ）を作成し、ＧＰＳ履歴格納部１０３に保存する（Ｓ３０３）。
【００８１】
また、ダミー地図データ作成部１０５は、その地図データ作成と合わせて、本来、移動していない箇所の認証用ダミー地図データも同時に作成し、認証用ダミー地図データをＧＰＳ履歴格納部１０３に保存する。さらにダミー地図データ作成部１０５は、認証のための地図データと認証用ダミー地図データを主制御部１１に送り、表示部１３に表示させ、ユーザーに選択させる（Ｓ３０４）。  ユーザーは、過去に訪れた場所と時間が入った認証のための地図データとダミー地図データが表示された表示部１３を確認し、その中から、本当に訪れた地図を選択する。
【００８２】
次に、ＧＰＳ履歴検証部１０６は、選択された地図に対応するＧＰＳ履歴情報と過去のＧＰＳ履歴情報との照合を行い、所定の基準を満たしていれば出力する。この場合の所定の基準は、選択された地図に対応するＧＰＳ履歴情報と過去のＧＰＳ履歴情報の一致である。
【００８３】
これにより、ユーザー認証機能付き複合装置１００は、ユーザー認証することが可能となる。
【００８４】
本実施形態に係るユーザー認証機能付き複合システム５００は、以下に記載するような効果を奏する。
【００８５】
複合機装置がユーザー認証を行う場合に、認証を厳しくすることが可能である。その理由は、正しいＧＰＳ履歴情報を示す地図データ、及び、ダミーの地図データを表示し、その中からユーザーが選択するようにするからである。
＜第三の実施形態＞
図９は、本発明の第三の実施の形態に係るユーザー認証機能付き複合装置６００の構成の一例を示すブロック図である。
【００８６】
ユーザー認証機能付き複合装置６００は、ＧＰＳ履歴取得部１１５、ＧＰＳ履歴格納部１０３、ＧＰＳ履歴検証部１０６、主制御部１１１、及び、入出力処理部１１４から構成される。
【００８７】
ＧＰＳ履歴取得部１１５は、携帯端末に保持されたＧＰＳ履歴情報を取得する。ＧＰＳ履歴格納部１０３は、ＧＰＳ履歴情報を格納する。ＧＰＳ履歴検証部１０６は、ＧＰＳ履歴情報と過去のＧＰＳ履歴情報との照合を行い、照合の結果が所定の基準を満たしていれば認証を示す信号の出力を行う。主制御部１１１は、ＧＰＳ履歴検証部１０６認証を示す信号の出力を基に、入出力処理部１１４の使用を認証する。入出力処理部１１４は、画像データの入出力の処理を実行する。
【００８８】
本実施形態に係るユーザー認証機能付き複合装置６００は、以下に記載するような効果を奏する。
【００８９】
複合装置がユーザー認証を行う場合に、新たに認証専用の装置や認証専用のカード等を必要とせず、容易に認証機能を追加することが可能となる。その理由は、携帯端末２００のＧＰＳ履歴情報を複合装置のユーザー認証に使用するからである。
【００９０】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００９１】
１００    ユーザー認証機能付き複合装置
１０１    携帯端末接続部
１０２    ＧＰＳ履歴読み込み部
１０３    ＧＰＳ履歴格納部
１０４    地図データ作成部
１０５    ダミー地図データ作成部
１０６    ＧＰＳ履歴検証部
１０７    スキャナ部
１０８    ＬＡＮ通信部
１０９    ファクシミリ通信部
１１０    プリンタ部
１１１    主制御部
１１２    操作部
１１３    表示部
１１４    入出力処理部
１１５    ＧＰＳ履歴取得部
２００    携帯端末
２０１    ＧＰＳ受信部
２０２    時計部
２０３    メモリ部
２０４    接続部
２０５    携帯端末制御部
３００    ユーザー認証機能付き複合システム
４００    ユーザー認証機能付き複合装置
５００    ユーザー認証機能付き複合システム
６００    ユーザー認証機能付き複合装置
【図１】
2015065592.tif 000003
【図２】
2015065592.tif 000004
【図３】
2015065592.tif 000005
【図４】
2015065592.tif 000006
【図５】
2015065592.tif 000007
【図６】
2015065592.tif 000008
【図７】
2015065592.tif 000009
【図８】
2015065592.tif 000010
【図９】
2015065592.tif 000011